(57)【要約】【課題】巻き取り時の巻き締めによるシャッターカーテンの抜け止め部材周縁の負荷を軽減し、該シャッターカーテンの耐久性の向上を図ることができるシャッター装置を提供すること。【解決手段】シャッターカーテン２の幅方向両端縁に取り付けられた複数の抜け止めボルト（抜け止め部材）６をカイドレール内に移動可能に嵌装し、巻取軸３を回転させて前記シャッターカーテン２を巻き取ってこれを前記ガイドレールに沿って移動させるシャッター装置において、前記巻取軸３を断面略多角形状の多面体柱部材で構成するとともに、前記シャッターカーテン２の巻き取り時に前記抜け止めボルト６が前記巻取軸３の断面における角部頂点に位置しないよう該抜け止めボルト６の取り付けピッチを設定する。【選択図】図３
2005248694.tif 000002
【特許請求の範囲】
【請求項１】
シャッターカーテンの幅方向両端縁に取り付けられた複数の抜け止め部材をカイドレール内に移動可能に嵌装し、巻取軸を回転させて前記シャッターカーテンを巻き取ってこれを前記ガイドレールに沿って移動させるシャッター装置において、
前記巻取軸を断面略多角形状の多面体柱部材で構成するとともに、前記シャッターカーテンの巻き取り時に前記抜け止め部材が前記巻取軸の断面における角部頂点に位置しないよう該抜け止め部材の取り付けピッチを設定したことを特徴とするシャッター装置。
【請求項２】
前記抜け止め部材は、前記シャッターカーテンの端縁の表裏を挟持する平ワッシャと、該平ワッシャ及びシャッターカーテンに挿通するボルトと、該ボルトに螺着されたナットで構成されることを特徴とする請求項１記載シャッター装置。
【請求項３】
シャッターカーテンの幅方向両端縁に取り付けられた複数の抜け止め部材をカイドレール内に移動可能に嵌装し、巻取軸を回転させて前記シャッターカーテンを巻き取ってこれを前記ガイドレールに沿って移動させるシャッター装置において、
前記シャッターカーテンの幅方向両端縁を袋状に形成し、その袋状部内に球状又は円柱状の複数の前記抜け止め部材を収納したことを特徴とするシャッター装置。
【請求項４】
前記袋状部が形成され、その内部に前記抜け止め部材を収納して成る部材を前記シャッターカーテンとは別に製作し、該部材を前記シャッターカーテンの幅方向両端縁に取り付けたことを特徴とする請求項３記載のシャッター装置。
【請求項５】
前記シャッターカーテンの袋状部を仕切って複数の区画部をシャッター開閉方向に適当なピッチで形成し、各区画部内に前記抜け止め部材を移動可能に収納したことを特徴とする請求項３又は４記載のシャッター装置。
【請求項６】
前記抜け止め部材を金属球で構成したことを特徴とする請求項３〜５の何れかに記載のシャッター装置。
【請求項７】
前記巻取軸の長さは前記シャッターカーテンの幅寸法よりも短く、その両端部からはシャッターカーテンの少なくとも前記抜け止め部材が位置する部分が幅方向外側方に向かって突出していることを特徴とする請求項１〜６の何れかに記載のシャッター装置。
【請求項８】
前記ガイドレールの前記シャッターカーテンの端縁が挿入される溝部に折り返し部を形成したことを特徴とする請求項１〜７の何れかに記載のシャッター装置。
【発明の詳細な説明】
【技術分野】
【０００１】
本発明は、シャッターカーテンを巻取軸によって巻き取ることによってこれをガイドレールに沿って移動させるシャッター装置に関するものである。
【背景技術】
【０００２】
斯かるシャッター装置の従来例を図１６及び図１７に示す（例えば、特許文献１参照）。即ち、図１６は従来のシャッター装置の一部破断正面図、図１７は図１６のＦ−Ｆ線断面図である。
【０００３】
図１６に示すシャッター装置１０１は、上下動することによって開口部を開閉するシャッターカーテン１０２と、該シャッターカーテン１０２を巻き取る巻取軸１０３と、シャッターカーテン１０２の左右の両端縁が挿入されて該シャッターカーテン１０２の上下動をガイドする左右一対のガイドレール１０４等を含んで構成されている。
【０００４】
ところで、シャッター装置１０１の設置場所や設置状況によっては、シャッターカーテン１０２は、これが風圧を受けて撓むと、その左右両端縁が左右一対の各ガイドレール１０４から外れる恐れがあるため、図１７に示すように、該シャッターカーテン１０２の両端縁（図１７には一方のみ図示）に抜け止め部材としての２枚の平ワッシャ１０７とボルト１０８及びナット１０９（以下、これらを「抜け止めボルト１０６」と総称する）を適当なピッチＰ’（図１６参照）で取り付け、これらの抜け止めボルト１０６によりシャッターカーテン１０２のガイドレール１０４からの抜け止めを図っていた。
【０００５】
【特許文献１】特開２００１−１８２４５６号公報
【発明の開示】
【発明が解決しようとする課題】
【０００６】
ここで、図１８にシャッターカーテン１０２とこれを巻き取る巻取軸１０３の斜視図を、図１９に同側面図を、図２０に図１９のＧ部拡大詳細図をそれぞれ示すが、従来の巻取軸１０３には例えば一般構造用鋼管が使用され、その断面は円形であったため、該巻取軸１０３を図１８及び図１９の矢印方向に回転させると、シャッターカーテン１０２は、その左右両端縁に取り付けられた複数の抜け止めボルト１０６と共に巻取軸１０３に巻き取られることとなる。
【０００７】
而して、前述のようにシャッターカーテン１０２が、その左右両端縁に取り付けられた複数の抜け止めボルト１０６と共に巻取軸１０３に巻き取られると、図２０に示すように、巻き取り時の巻き締めにより、抜け止めボルト１０６（特に、シャッターカーテン１０２を両面から挟持する２枚の平ワッシャ１０７）には、巻き取られた状態で略円弧状を成すシャッターカーテン１０２によって図示矢印方向の無理な力（シャッターカーテン１０２を平ワッシャ１０７の周縁部で折り曲げようとする力）Ｆ’が加わり、この力Ｆ’による負荷がシャッターカーテン１０２の耐久性を低下させる恐れがあった。
【０００８】
本発明は上記問題に鑑みてなされたもので、その目的とする処は、巻き取り時の巻き締めによるシャッターカーテンの抜け止め部材周縁の負荷を軽減し、該シャッターカーテンの耐久性の向上を図ることができるシャッター装置を提供することにある。
【課題を解決するための手段】
【０００９】
上記目的を達成するため、請求項１記載の発明は、シャッターカーテンの幅方向両端縁に取り付けられた複数の抜け止め部材をカイドレール内に移動可能に嵌装し、巻取軸を回転させて前記シャッターカーテンを巻き取ってこれを前記ガイドレールに沿って移動させるシャッター装置において、前記巻取軸を断面略多角形状の多面体柱部材で構成するとともに、前記シャッターカーテンの巻き取り時に前記抜け止め部材が前記巻取軸の断面における角部頂点に位置しないよう該抜け止め部材の取り付けピッチを設定したことを特徴とする。
【００１０】
請求項２記載の発明は、請求項１記載の発明において、前記抜け止め部材は、前記シャッターカーテンの端縁の表裏を挟持する平ワッシャと、該平ワッシャ及びシャッターカーテンに挿通するボルトと、該ボルトに螺着されたナットで構成されることを特徴とする。
【００１１】
請求項３記載の発明は、シャッターカーテンの幅方向両端縁に取り付けられた複数の抜け止め部材をカイドレール内に移動可能に嵌装し、巻取軸を回転させて前記シャッターカーテンを巻き取ってこれを前記ガイドレールに沿って移動させるシャッター装置において、前記シャッターカーテンの幅方向両端縁を袋状に形成し、その袋状部内に球状又は円柱状の複数の前記抜け止め部材を収納したことを特徴とする。
【００１２】
請求項４記載の発明は、請求項３記載の発明において、前記袋状部が形成され、その内部に前記抜け止め部材を収納して成る部材を前記シャッターカーテンとは別に製作し、該部材を前記シャッターカーテンの幅方向両端縁に取り付けたことを特徴とする。
【００１３】
請求項５記載の発明は、請求項３又は４記載の発明において、前記シャッターカーテンの袋状部を仕切って複数の区画部をシャッター開閉方向に適当なピッチで形成し、各区画部内に前記抜け止め部材を移動可能に収納したことを特徴とする。
【００１４】
請求項６記載の発明は、請求項３〜５の何れかに記載の発明において、前記抜け止め部材を金属球で構成したことを特徴とする。
【００１５】
請求項７記載の発明は、請求項１〜６の何れかに記載の発明において、前記巻取軸の長さは前記シャッターカーテンの幅寸法よりも短く、その両端部からはシャッターカーテンの少なくとも前記抜け止め部材が位置する部分が幅方向外側方に向かって突出していることを特徴とする。
【００１６】
請求項８記載の発明は、請求項１〜７の何れかに記載の発明において、前記ガイドレールの前記シャッターカーテンの端縁が挿入される溝部に折り返し部を形成したことを特徴とする。
【発明の効果】
【００１７】
請求項１記載の発明によれば、巻取軸を断面略多角形状の多面体柱部材で構成するとともに、巻き取り時に抜け止め部材が巻取軸の平面部に常に位置するよう構成したため、巻取軸に巻き付けられた抜け止め部材に対してシャッターカーテンからの無理な力が作用せず、巻き取り時の巻き締めによるシャッターカーテンの抜け止め部材周縁の負荷が軽減し、該シャッターカーテンの耐久性の向上が図られる。
【００１８】
請求項２記載の発明によれば、抜け止め部材は、シャッターカーテンの端縁の表裏を挟持する平ワッシャを含んで構成されるため、巻き取り時に巻取軸の平面部に位置する抜け止め部材の平ワッシャには、シャッターカーテンからの力が平行に作用し、この力はシャッターカーテンの平ワッシャ周縁での負荷としては作用しないため、シャッターカーテンの耐久性の向上が図られる。
【００１９】
請求項３記載の発明によれば、シャッターカーテンを巻取軸に巻き取った際、その幅方向両端縁に形成された袋状部内の抜け止め部材が重なろうとしても、該抜け止め部材は球状又は円柱状であるため、これらが互いに逃げて重なることがなく、巻き取り時の巻き締めによるシャッターカーテンの抜け止め部材周縁の負荷が軽減し、該シャッターカーテンの耐久性の向上が図られる。
【００２０】
請求項４記載の発明によれば、袋状部の内部に抜け止め部材を収納して成る部材をシャッターカーテンとは別に製作し、この部材をシャッターカーテンの幅方向両端縁に取り付けるようにしたため、袋状部の形成及び該袋状部内への抜け止め部材の収納を作業性良く行うことができるとともに、シャッターカーテンの左右何れか一方の側に不具合が発生した場合には、その側の部材のみを取り外してこれを新しいものと交換し、他側の正常な部材はそのまま使用することができるために経済的である。
【００２１】
請求項５記載の発明によれば、シャッターカーテンの袋状部をシャッター開閉方向に仕切って形成された複数の区画部に抜け止め部材を移動可能に収納したため、抜け止め部材の数を削減することができるとともに、シャッターカーテンを巻取軸に巻き取った際、その幅方向両端縁に形成された袋状部内の抜け止め部材が重なろうとしても、該抜け止め部材が互いに逃げて重なることがなく、巻き取り時の巻き締めによるシャッターカーテンの抜け止め部材周縁の負荷が軽減し、該シャッターカーテンの耐久性の向上が図られる。
【００２２】
請求項６記載の発明によれば、抜け止め部材を金属球で構成したため、該金属球が重錘として機能するとともに、シャッターカーテンを巻取軸に巻き取った際に金属球同士が重なろうとしても、これらは袋状部内で移動して互いに逃げるために重なることがなく、巻き取り時の巻き締めによるシャッターカーテンの抜け止め部材周縁の負荷が軽減し、該シャッターカーテンの耐久性の向上が図られる。
【００２３】
請求項７記載の発明によれば、巻取軸の長さをシャッターカーテンの幅寸法よりも短くして、その幅方向両端部からはシャッターカーテンの少なくとも抜け止め部材が位置する部分が幅方向外側方に向かって突出するよう構成したため、巻取軸の端部から幅方向外側方へ突出するシャッターカンーテンの巻取部を剛体である巻取軸で拘束することなく自由に撓ませることができ、シャッターカーテンの両端縁の巻取径が抜け止め部材によって大きくなるのを防ぐことができる。
【００２４】
請求項８記載の発明によれば、ガイドレールのシャッターカーテンの端縁が挿入される溝部に折り返し部を形成したため、シャッターカーテンの昇降時に抜け止め部材が折り返し部に沿って円滑に摺動し、シャッターカーテンの円滑な昇降動が実現される。
【発明を実施するための最良の形態】
【００２５】
以下に本発明の実施の形態を添付図面に基づいて説明する。
【００２６】
［第１発明］
図１は第１発明に係るシャッター装置の一部破断正面図、図２は図１のＡ−Ａ線断面図、図３は同シャッター装置のシャッターカーテンと巻取軸の斜視図、図４は同側面図、図５は図４のＢ部拡大詳細図、図６は巻取軸端部の部分斜視図である。
【００２７】
本実施の形態に係るシャッター装置１は、防火・防煙用であって、火災発生時等の非常時に建物等の開口部を仕切って防火や防煙等を行う防災機能を有するものであり、例えば通路空間の途中や通路空間とホール空間との境界位置に設置される。
【００２８】
而して、図１に示すように、本実施の形態に係るシャッター装置１は、上下動することによって開口部を開閉するシャッターカーテン２と、該シャッターカーテン２を巻き取る巻取軸３と、シャッターカーテン２の左右の両端縁部が挿入されてシャッターカーテン２の上下動をガイドする左右一対のガイドレール４と、前記巻取軸３を回転及び停止させてシャッターカーテン２の上下動及び停止を行う不図示のモータやブレーキ等から成る開閉機５を含んで構成されている。
【００２９】
ここで、前記シャッターカーテン２は、矩形状の可撓性スクリーン材で構成されており、可撓性スクリーン材としては、例えば耐熱性の高いシリカクロス又はガラスクロス、或はこれらに耐火被覆材として耐火塗料や防水被覆材を吹き付け若しくは塗布し或は含浸させて構成された布製スクリーン等が好適に用いられる。この種の可撓性スクリーン材は、耐火性、遮熱性、遮煙性、防水性、耐圧性等に優れたものであって、非常時には開口部を閉鎖して所望の防火・防煙等の防災機能を果たすものである。
【００３０】
そして、シャッターカーテン２の左右両端縁には、複数の抜け止め部材６が上下方向に適当なピッチＰでそれぞれ取り付けられており、各抜け止め部材６は、図２及び図５に詳細に示すように、シャッターカーテン２の端縁の表裏を挟持する２枚の平ワッシャ７と、該平ワッシャ７及びシャッターカーテン２に挿通するボルト８と、該ボルト８に螺着されたナット９で構成されている。尚、以下においては、前記平ワッシャ７とボルト８及びナット９で構成される抜け止め部材６を「抜け止めボルト」と総称する。
【００３１】
又、シャッターカーテン２の下端には、幅方向に長い座板１０が取り付けられている。
【００３２】
他方、前記左右一対のガイドレール４は、建物等の開口部の左右側壁に沿って垂直に立設されており、各ガイドレール４は、図２に示すように、角柱パイプ状に成形され、その内側面（両ガイドレール４が互いに対向する面）には、前記シャッターカーテン２の左右の各端縁が挿入されるための溝部４ａが上下方向に形成されている。そして、シャッターカーテン２のガイドレール４の前記溝部４ａから該ガイドレール４内に挿入された左右の各端縁に取り付けられた複数の前記抜け止めボルト６は、ガイドレール４内をシャッターカーテン２の上下動に伴って移動し、シャッターカーテン２の左右両端縁のガイドレール４からの抜けを防ぐ。
【００３３】
ところで、本実施の形態においては、前記巻取軸３は、四角柱体状の角パイプで構成されており、図１及び図６に示すように、その角パイプ部分３ａの長さはシャッターカーテン２の幅寸法よりも短く、その両端部からはシャッターカーテン２の少なくとも前記抜け止めボルト６が位置する部分（左右両端縁部）が外側方に向かって突出している。そして、巻取軸３の両端面の中心部からは小径の丸軸３ｂが外側方に向かって突設されている（図６には一方のみ図示）。
【００３４】
而して、以上の構成を有するシャッター装置１においては、通常時には、前記開閉機５に設けられた不図示ブレーキが作動することによって、シャッターカーテン２は巻取軸３に巻き取られた状態で保持され、この状態では、シャッターカーテン２の下端部に設けられた前記座板１０が、天井に形成されたシャッターカーテン２を通すためのスリット部分に設けられた不図示のまぐさの位置まで上昇して収納され、開口部は全開状態に保たれている。
【００３５】
他方、火災発生時等の非常時には、火災発生等に伴って発生する炎、煙、熱、臭い等が不図示のセンサによって検知されると、このセンサからの信号によって開閉機５のブレーキ解除される。すると、座板１０を含むシャッターカーテン２の自重によって該シャッターカーテン２が巻取軸３から繰り出され、シャッターカーテン２は、左右一対のガイドレール４によってその左右両端縁をガイドされながら下降し、その下端に取り付けられた座板１０が床面に達することによって開口部が図１に示すように該シャッターカーテン２によって全閉され、当該シャッター装置１は所望の防災機能を果たす。尚、シャッターカーテン２を閉鎖する方式として、本実施の形態のようなセンサを用いた自動閉鎖式ではなく、レバー操作等によって開閉機５のブレーキを解除する手動式、或は両者を併用した方式を採用しても良い。
【００３６】
而して、上述のようにシャッターカーテン２が開口部を全閉することによって所望の防災機能が果たされ、開放操作を行うと、前記開閉機５の不図示のモータが作動して巻取軸３が図３及び図４の矢印方向（反時計方向）に回転駆動され、該巻取軸３にシャッターカーテン２が順次巻き付けられ、該シャッターカーテン２が左右一対のガイドレール４によってその左右両端縁をガイドされながら上昇する。尚、シャッターカーテン２の巻き取り方式としては、本実施の形態のようなモータ駆動による巻き取りではなく、チェーン引き操作やレバー操作等によって手動で巻き取る方式を採用しても良い。
【００３７】
ここで、シャッターカーテン２の左右両端縁にそれぞれ取り付けられた複数の前記抜け止めボルト６は、図３〜図６に示すように、巻取軸３の断面における角部頂点に位置せず、常に平面部に位置するようにそのピッチＰが設定されている。
【００３８】
以上のように、本実施の形態に係るシャッター装置１においては、巻取軸３を断面四角形の角パイプ材で構成するとともに、巻き取り時に各抜け止めボルト６が必ず巻取軸３の平面部に位置するよう構成したため、巻取軸３に巻き付けられた抜け止めボルト６に対してシャッターカーテン２からの無理な力が作用せず、巻き取り時に発生するシャッターカーテン２の抜け止めボルト６周縁からの破損が防がれて該シャッターカーテン２の耐久性の向上が図られる。
【００３９】
即ち、図５に示すように、各抜け止めボルト６はシャッターカーテン２の端縁の表裏を挟持する２枚の平ワッシャ７を含んで構成されているため、巻き取り時に巻取軸３の平面に位置する抜け止めボルト６の平ワッシャ７には、シャッターカーテン２からの力Ｆが図示矢印方向に平行に作用し、この力Ｆはシャッターカーテン２の平ワッシャ７周縁からの破損を招く力（シャッターカーテン２を平ワッシャ７の周縁部において折り曲げようとする力）として作用しないため、シャッターカーテン２の平ワッシャ７周縁からの破損が防がれてその耐久性向上が図られる。
【００４０】
又、シャッターカーテン２の巻き取り時に抜け止めボルト６が巻取軸３の頂点に位置しないようにするために、該抜け止めボルト６の取り付けピッチＰ（図１参照）を図１６に示す従来の抜け止めボルト１０６の取り付けピッチＰ’よりも小さく（Ｐ＜Ｐ’）設定することにより、該抜け止めボルト６の個数が増えてシャッターカーテン２のガイドレール４に対する抜け止め強度が高くなり、該シャッターカーテン２の耐風圧強度が高められる。
【００４１】
而して、シャッターカーテン２が巻取軸３に巻き取られて左右一対のガイドレール４によってガイドされながら上昇し、巻取軸３に巻き取られた座板１０が天井部に設けられた不図示のまぐさの位置まで上昇して収納されると、開閉機５のブレーキが作動してシャッターカーテン２が巻取軸３に巻き取られた状態が維持され、開口部が通常時の全開状態に保たれる。
【００４２】
尚、本実施の形態では、前述のように巻取軸３の角パイプ部分３ａの長さをシャッターカーテン２の幅寸法よりも短くして、その両端部からシャッターカーテン２の少なくとも抜け止めボルト６が位置する部分（左右両端縁部）が外側方に向かって突出するよう構成したため（図６参照）、巻取軸３の端部から外側方へ突出するシャッターカーテン２の巻取部を剛体である巻取軸３で拘束することなく自由に撓ませることができ、シャッターカーテン２の両端縁の巻取径が複数の抜け止めボルト６によって大きくなるのを防ぐことができる。
【００４３】
ところで、本実施の形態では、巻取軸３を断面略四角形状の各パイプで構成したが、巻取軸は、断面略多角形状の多面体柱部材で構成されていれば良く、例えば図７（ａ）に示す断面略六角形状或は同図（ｂ）に示す断面略八角形状の多面体柱部材３’，３”でそれぞれ構成しても良い。但し、シャッターカーテン２の左右両端縁に取り付けられた抜け止めボルト６は、シャッターカーテン２の巻き取り時に巻取軸３’，３”の断面における角部の頂点に位置しないよう、その取り付けピッチを適当に設定する必要がある。
【００４４】
尚、巻取軸の断面における角部頂点を避けた平面部に常に抜け止め部材を位置させるように設定する場合は、全ての平面部に位置するように設定しても良く、全てでなく任意な平面部に位置するように設定しても良く、シャッター装置が設置される位置の周辺状況や使用環境等により、抜け止め部材の数も任意に設定するようにしても良い。
【００４５】
［第２発明］
次に、第２発明を図８〜図１３に基づいて説明する。
【００４６】
図８は第２発明に係るシャッター装置の一部破断正面図、図９は図８のＣ−Ｃ線断面図、図１０は同シャッター装置のシャッターカーテンと巻取軸の斜視図、図１１は図１０のＤ部拡大詳細図、図１２は図１１のＥ−Ｅ線断面図、図１３はシャッターカーテンの巻取軸への巻き取り状態を示す部分断面図であり、これらの図においては、図１〜図６に示したものと同一要素には同一符号を付しており、以下、それらについての再度の説明は省略する。
【００４７】
本実施の形態に係るシャッター装置１は、シャッターカーテン２の両端縁を袋状に縫製し、その袋状部２ａを縫製によって上下に仕切って複数の区画部２ａ−１を上下方向に適当なピッチＰで形成し、各区画部２ａ−１に球状の抜け止め部材として金属球１６を移動可能に収納したことを特徴とする。
【００４８】
他方、左右一対の各ガイドレール４の内側面（両ガイドレール４が互いに対向する面）には、前記シャッターカーテン２の左右の各端縁が挿入されるための溝部４ａが上下方向に形成されているが、その溝部４ａには、図９（ａ）に示すような直角の折り返し部４ｂ、或は図９（ｂ）に示すような内方に向かって開くテーパ状の折り返し部４ｃが形成されている。そして、シャッターカーテン２のガイドレール４の前記溝部４ａから該ガイドレール４内に挿入された左右の各端縁に取り付けられた複数の金属球１６は、ガイドレール４内をシャッターカーテン２の上下動に伴って移動し、シャッターカーテン２の左右両端縁のガイドレール４からの抜けを防ぐ。
【００４９】
ところで、本実施の形態においては、前記巻取軸３は、丸パイプ（具体的には、一般構造用鋼管）で構成されており、図８に示すように、その長さはシャッターカーテン２の幅寸法よりも短く、その両端部からはシャッターカーテン２の少なくとも前記金属球１６が位置する部分（左右両端縁部）が外側方に向かって突出している。そして、巻取軸３の両端面の中心部からは小径の丸軸３ｂが外側方に向かって突設されている。
【００５０】
而して、本実施の形態に係るシャッター装置１においても、シャッターカーテン２が開口部を全閉することによって所望の防災機能を果たすが、その後、開閉機５の不図示のモータが作動して巻取軸３が図１０の矢印方向（反時計方向）に回転駆動され、該巻取軸３にシャッターカーテン２が順次巻き付けられ、該シャッターカーテン２が左右一対のガイドレール４によってその左右両端縁をガイドされながら上昇する。
【００５１】
ところで、上述のようにシャッターカーテン２を巻取軸３に巻き取った際、その両端縁に形成された袋状部２ａ内の金属球１６が巻取軸３上で重なろうとしても、これらの金属球１６は球形であるため、図１３に示すように、これらが互いに反対方向（図示矢印方向）に逃げて重なることがなく、巻き取り時の巻き締めによるシャッターカーテン２の金属球１６周縁の負荷が軽減し、該シャッターカーテン２の破損が防がれてその耐久性の向上が図られる。
【００５２】
又、本実施の形態では、シャッターカーテン２の各袋状部２ａを上下に仕切って複数の区画部２ａ−１を上下方向に適当なピッチＰで形成し、各区画部２ａ−１に金属球１６を移動可能に収納したため、金属球１６の数を必要最小限に抑えることができる。そして、本実施の形態のように抜け止め部材を金属球１６で構成すれば、該金属球１６が重錘として機能し、全閉時のシャッターカーテン２の弛みを防ぐことができる。
【００５３】
尚、本実施の形態では、シャッターカーテン２の両端縁に形成された袋状部２ａを上下に仕切って複数の区画部２ａ−１を上下方向に適当なピッチＰで形成したが、このように袋状部２ａを仕切ることなく上下方向に連続したものとし、その内部に抜け止め部材を収納するようにしても良い。ここで、抜け止め部材としては、金属球１６に限らず、図１４に示す円柱状部材２６を用いても良く、この円柱状部材２６を図１５に示すようにシャッターカーテン２の袋状部２ａの各区画部２ａ−１に横方向に収納する構成を採用することができる。この場合、円柱状部材２６の両端縁は面取りするのが望ましい。又、抜け止め部材の材質としては、金属に限らず、樹脂、その他任意のものを選定することができる。
【００５４】
又、図示しないが、袋状部が形成され、その内部に抜け止め部材を収納して成る部材をシャッターカーテンとは別に製作し、該部材をシャッターカーテンの両端縁に取り付けるようにしても良い。このような構成を採用すれば、袋状部の形成及び該袋状部内への抜け止め部材の収納を作業性良く行うことができるとともに、シャッターカーテンの左右何れか一方の側に不具合が発生した場合には、その側の部材のみを取り外してこれを新しいものと交換し、他側の正常な部材はそのまま使用することができるために経済的である。
【００５５】
更に、本実施の形態においては、ガイドレール４のシャッターカーテン２の端縁が挿入される溝部４ａに図９（ａ），（ｂ）に示すような折り返し部４ｂ，４ｃを形成したため、シャッターカーテン２の昇降時に金属球１６が折り返し部に沿って円滑に摺動し、シャッターカーテン２の円滑な昇降動が実現される。
【００５６】
尚、以上の実施の形態では、シャッターカーテンを上下動させて開口部を開閉するシャッター装置について説明したが、シャッターカーテンの開閉方向は上下に限定されず、例えば斜め方向や水平方向であっても良い。
【産業上の利用可能性】
【００５７】
本発明に係るシャッター装置は、オフィスビルやホテル等の建造物内に設置される防火・防煙シャッター装置としての用途の他、工場や倉庫等の開口部を可撓性シャッターカーテンによって開閉する開閉シャッター装置等としての任意の用途に供することができる。
【図面の簡単な説明】
【００５８】
【図１】第１発明に係るシャッター装置の一部破断正面図である。
【図２】図１のＡ−Ａ線断面図である。
【図３】第１発明に係るシャッター装置のシャッターカーテンと巻取軸の斜視図である。
【図４】第１発明に係るシャッター装置の側面図である。
【図５】図４のＢ部拡大詳細図である。
【図６】第１発明に係るシャッター装置の巻取軸端部の部分斜視図である。
【図７】第１本発明に係るシャッター装置の巻取軸の別形態を示す多面体柱部材の横断面図である。
【図８】第２発明に係るシャッター装置の一部破断正面図である。
【図９】図８のＣ−Ｃ線断面図である。
【図１０】第２発明に係るシャッター装置のシャッターカーテンと巻取軸の斜視図である。
【図１１】図１０のＤ部拡大詳細図である。
【図１２】図１１のＥ−Ｅ線断面図である。
【図１３】シャッターカーテンの巻取軸への巻き取り状態を示す部分断面図である。
【図１４】第２発明における抜け止め部材の別形態に係る円柱状部材の斜視図である。
【図１５】図１４に示す円柱状部材の袋状部への収納状態を示す部分正面図である。
【図１６】従来のシャッター装置の一部破断正面図である。
【図１７】図１６のＦ−Ｆ線断面図である。
【図１８】従来のシャッター装置のシャッターカーテンとこれを巻き取る巻取軸の斜視図である。
【図１９】従来のシャッター装置のシャッターカーテンとこれを巻き取る巻取軸の側面図である。
【図２０】図１９のＧ部拡大詳細図である。
【符号の説明】
【００５９】
１        シャッター装置
２        シャッターカーテン
２ａ      袋状部
２ａ−１  区画部
３        巻取軸
３ａ      角パイプ部分
３ｂ      丸軸
４      ガイドレール
４ａ    溝部
４ｂ      折り返し部
４ｃ      折り返し部
５        開閉機
６        抜け止めボルト（抜け止め部材）
７        平ワッシャ
８        ボルト
９        ナット
１０      座板
１６      金属球（抜け止め部材）
２６      円柱状部材（抜け止め部材）
【図１】
2005248694.tif 000003
【図２】
2005248694.tif 000004
【図３】
2005248694.tif 000005
【図４】
2005248694.tif 000006
【図５】
2005248694.tif 000007
【図６】
2005248694.tif 000008
【図７】
2005248694.tif 000009
【図８】
2005248694.tif 000010
【図９】
2005248694.tif 000011
【図１０】
2005248694.tif 000012
【図１１】
2005248694.tif 000013
【図１２】
2005248694.tif 000014
【図１３】
2005248694.tif 000015
【図１４】
2005248694.tif 000016
【図１５】
2005248694.tif 000017
【図１６】
2005248694.tif 000018
【図１７】
2005248694.tif 000019
【図１８】
2005248694.tif 000020
【図１９】
2005248694.tif 000021
【図２０】
2005248694.tif 000022